(57)【特許請求の範囲】
【請求項１】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
を備え、
撮影計画の際に選択可能な複数のプリセット条件のうち、一部のプリセット条件に、前記第１設定部又は前記第２設定部に係るフラグ情報が、前記選択情報として対応付けられる、Ｘ線ＣＴ装置。
【請求項２】
前記プリセット条件に対応付けられる前記第１設定部又は前記第２設定部に係るフラグ情報を変更するための変更部を更に備える
請求項１に記載のＸ線ＣＴ装置。
【請求項３】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
を備え、
前記第１設定部は、前記投光器に対する操作を受け付けることにより撮影範囲を調整した後に、調整後の撮影範囲に基づいて撮影計画の複数のプリセット条件から一部のプリセット条件を選択し前記操作者に提示する、又は前記第２設定部は、前記端末装置を通じてユーザからの操作を受け付けることにより撮影範囲を調整した後に、調整後の撮影範囲に基づいて撮影計画の複数のプリセット条件から一部のプリセット条件を選択し前記操作者に提示する、Ｘ線ＣＴ装置。
【請求項４】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
を備え、
前記制御部は、操作者が前記投光器を操作したか否かを検出し、当該操作を検出した場合に、前記被検体に対する撮影条件をリセットし前記被検体に対する撮影条件の再設定を行う、Ｘ線ＣＴ装置。
【請求項５】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
撮影計画の際、前記選択情報の入力を受け付ける選択部とを備え、
前記制御部は、前記選択部が受け付けた前記選択情報に基づいて前記架台装置に前記撮影を実行させ、
前記制御部は、操作者が前記投光器を操作したか否かを検出し、当該操作を検出した場合に、前記選択部に前記選択情報の入力を再度受け付けさせ、再度受け付けさせた前記選択情報に基づいて前記架台装置に前記撮影を実行させる、Ｘ線ＣＴ装置。
【請求項６】
前記選択部は、前記第１設定部又は前記第２設定部いずれで撮影条件を確定可能とするかを選択する選択情報の入力を受け付ける、
請求項５に記載のＸ線ＣＴ装置。
【請求項７】
前記選択部は、前記端末装置側に設けられた入力装置を用いて前記選択情報の入力を受け付ける、請求項５又は６に記載のＸ線ＣＴ装置。
【請求項８】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
を備え、
前記第１設定部は、撮影範囲が調整された後の前記架台装置側における操作者の操作により調整された前記撮影範囲を、前記第１の撮影条件に含まれる撮影条件として設定する、Ｘ線ＣＴ装置。
【請求項９】
被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する第１設定部と、
端末装置を通じて操作者からの操作を受け付けて前記被検体に対する撮影範囲を調整し、調整された撮影範囲を、第２の撮影条件に含まれる撮影条件として設定する第２設定部と、
前記第１設定部と前記第２設定部のいずれにより設定される撮影条件を用いて前記被検体の撮影を実行するかを選択する選択情報に基づいて前記架台装置に前記撮影を実行させる制御部と、
を備え、
前記制御部は、前記第１設定部が操作者から前記第１の撮影条件の入力を受け付けた場合、前記第１の撮影条件を前記端末装置に送信する、Ｘ線ＣＴ装置。
【請求項１０】
前記第１設定部は、管電流、管電圧、回転フレームの回転速度、スライス厚、列数の少なくとも一つを前記第１の撮影条件に含まれる撮影条件として更に設定し、
前記第２設定部は、管電流、管電圧、回転フレームの回転速度、スライス厚、列数の少なくとも一つを前記第２の撮影条件に含まれる撮影条件として更に設定する、請求項１乃至９のいずれか一つに記載のＸ線ＣＴ装置。
【発明の詳細な説明】
【技術分野】
【０００１】
本発明の実施形態は、Ｘ線ＣＴ装置に関する。
【背景技術】
【０００２】
Ｘ線ＣＴ（Ｃｏｍｐｕｔｅｄ  Ｔｏｍｏｇｒａｐｈｙ）装置を用いた撮影においては、
撮影条件の設定を、端末装置（コンソール装置）側で行う方法と、検査室（架台装置）側で行う方法とがある。
【０００３】
しかしながら、撮影条件の設定を、架台装置側からもコンソール装置側からもできるとした場合、架台装置側とコンソール装置側のどちらの情報を用いて撮影条件の設定を行うかを明確にしないと、ユーザの意図しない撮影条件で撮影が行われてしまう可能性が考えられる。
【先行技術文献】
【特許文献】
【０００４】
【特許文献１】特開２００７−０９７７７６号公報
【特許文献２】特開２００２−２７２７２３号公報
【発明の概要】
【発明が解決しようとする課題】
【０００５】
実施形態が解決しようとする課題は、架台装置側と端末装置側とのうち、いずれの側からでもユーザが意図する撮影条件の設定を行うことができるＸ線ＣＴ装置を提供することである。
【課題を解決するための手段】
【０００６】
実施形態に係るＸ線ＣＴ装置は、第１設定部と、第２設定部と、制御部とを備える。
第１設定部は、被検体をＸ線でＣＴ撮影する架台装置側に設けられた投光器に対する操作を受け付けて前記被検体に対する撮影範囲を調整し、調整された撮影範囲を、第１の撮影条件に含まれる撮影条件として設定する。第２設定部は、端末装置を通じて操作者からの操作を受け付けて前記被検体に対する撮影範囲を調整し、調整された撮影範囲を、第２の撮影条件に含まれる撮影条件として設定する。制御部は、前記第１の撮影条件と前記第２の撮影条件とのうちいずれの撮影条件を用いて前記被検体の撮影を実行するかを選択する選択情報に基づいて前記架台装置に前記撮影を実行させる。
【図面の簡単な説明】
【０００７】
【図１】図１は、実施形態に係るＸ線ＣＴ装置の構成例を示すブロック図（１）である。
【図２】図２は、実施形態に係るＸ線ＣＴ装置の構成例を示すブロック図（２）である。
【図３】図３は、実施形態に係るＸ線ＣＴ装置の構成例を示すブロック図（３）である。
【図４】図４は、実施形態に係るＸ線ＣＴ装置の構成例を示すブロック図（４）である。
【図５】図５は、実施形態に係るＸ線ＣＴ装置の構成例を示すブロック図（５）である。
【図６】図６は、第１の実施形態に係るＸ線ＣＴ装置の行う処理の流れについて説明したフローチャートである。
【図７】図７は、第１の実施形態に係るＸ線ＣＴ装置における、エリア表示投光器設定のための画面デザインの一例を示す図である。
【図８】図８は、第２の実施形態に係るＸ線ＣＴ装置の行う処理の流れについて説明したフローチャートである。
【図９】図９は、第３の実施形態に係るＸ線ＣＴ装置の行う処理の流れについて説明したフローチャートである。
【発明を実施するための形態】
【０００８】
以下、添付図面を参照して、実施形態に係るＸ線ＣＴ装置を詳細に説明する。なお、Ｘ線ＣＴ装置には、Ｘ線管とＸ線検出器とが一体として被検体の周囲を回転するＲｏｔａｔｅ／Ｒｏｔａｔｅタイプ、リング状にアレイされた多数のＸ線検出素子が固定され、Ｘ線管のみが被検体の周囲を回転するＳｔａｔｉｏｎａｒｙ／Ｒｏｔａｔｅタイプ等様々なタイプがあるが、いずれのタイプでも本実施形態は適用可能である。さらに、近年では、Ｘ線管とＸ線検出器との複数のペアを回転フレームに搭載したいわゆる多管球型のＸ線ＣＴ装置の製品化が進み、その周辺技術の開発が進んでいる。本実施形態においては、従来からの一管球型のＸ線ＣＴ装置であっても、多管球型のＸ線ＣＴ装置であってもいずれも適用可能である。以下の実施形態では、一管球型でかつ、Ｒｏｔａｔｅ／ＲｏｔａｔｅタイプのＸ線ＣＴ装置を一例として説明する。
【０００９】
（第１の実施形態）
まず、第１の実施形態に係るＸ線ＣＴ装置の各部分について、図１〜図５を用いて、概略を説明する。図１〜図５は、実施形態に係るＸ線ＣＴ装置の構成例を示すブロック図である。図１に示すように、実施形態に係るＸ線ＣＴ装置は、架台装置１０と寝台装置２０と架台装置側インターフェース５０と、コンソール装置３０とを有する。架台装置１０、架台装置側インターフェース５０及び寝台装置２０は、検査室（Ｓｃａｎ  Ｒｏｏｍ）側に設けられ、コンソール装置３０（端末装置）は、操作室（Ｏｐｅｒａｔｉｏｎ  Ｒｏｏｍ）側に設けられる。なお、架台装置側インターフェース５０は、架台装置１０の傍に設置されても良いし、架台装置１０と一体となって架台装置１０の中に組み込まれても良い。
【００１０】
図２に、架台装置１０の概略が示されている。架台装置１０は、被検体ＰにＸ線を照射し、被検体Ｐを透過したＸ線の検出データから投影データを収集する装置であり、Ｘ線照射制御回路１１と、Ｘ線発生装置１２と、Ｘ線検出器１３と、収集回路１４と、回転フレーム１５と、架台駆動回路１６とを有する。
【００１１】
回転フレーム１５は、後述するＸ線管１２ａを有するＸ線発生装置１２とＸ線検出器１３とを被検体Ｐの周囲で回転可能に支持する。回転フレーム１５は、Ｘ線発生装置１２とＸ線検出器１３とを被検体Ｐを挟んで対向支持し、後述する架台駆動回路１６によって被検体Ｐを中心とした円軌道にて高速に回転する円環状のフレームである。
【００１２】
Ｘ線発生装置１２は、Ｘ線を発生し、発生したＸ線を被検体Ｐへ照射する装置であり、Ｘ線管１２ａと、ウェッジ１２ｂと、コリメータ１２ｃとを有する。
【００１３】
Ｘ線管１２ａは、Ｘ線を照射する。具体的には、Ｘ線管１２ａは、後述するＸ線照射制御回路１１により供給される高電圧により被検体ＰにＸ線ビームを発生する真空管である。Ｘ線管１２ａは、回転フレーム１５の回転にともない、Ｘ線ビームを被検体Ｐに対して照射する。Ｘ線管１２ａは、ファン角及びコーン角を持って広がるＸ線ビームを発生する。
【００１４】
ウェッジ１２ｂは、Ｘ線管１２ａから照射されたＸ線のＸ線量を調節するためのＸ線フィルタである。コリメータ１２ｃは、後述するＸ線照射制御回路１１の制御により、ウェッジ１２ｂによってＸ線量が調節されたＸ線の照射範囲を絞り込むためのスリットである。
【００１５】
Ｘ線照射制御回路１１は、高電圧発生部として、Ｘ線管１２ａに高電圧を供給する装置であり、Ｘ線管１２ａは、Ｘ線照射制御回路１１から供給される高電圧を用いてＸ線を発生する。Ｘ線照射制御回路１１は、Ｘ線管１２ａに供給する管電圧や管電流を調整することで、被検体Ｐに対して照射されるＸ線量を調整する。また、Ｘ線照射制御回路１１は、コリメータ１２ｃの開口度を調整することにより、Ｘ線の照射範囲（ファン角やコーン角）を調整する。
【００１６】
架台駆動回路１６は、回転フレーム１５を回転駆動させることによって、被検体Ｐを中心とした円軌道上でＸ線発生装置１２とＸ線検出器１３とを旋回させる。
【００１７】
Ｘ線検出器１３は、Ｘ線管１２ａから照射され被検体Ｐを透過したＸ線を検出する。具体的には、Ｘ線検出器１３は、２次元状に配列されたＸ線検出素子により、Ｘ線管１２ａから照射されて被検体Ｐを透過したＸ線を検出する。図２に示すＸ線検出器１３は、被検体Ｐを透過したＸ線の強度分布を示すＸ線強度分布データを出力する２次元アレイ型検出器（面検出器）である。Ｘ線検出器１３には、チャネル方向（図２に示すＹ軸方向）に配列された複数のＸ線検出素子（検出素子列）が、被検体Ｐの体軸方向（図２に示すＺ軸方向）に沿って複数列配列される。例えば、Ｘ線検出器１３は、被検体Ｐの体軸方向に沿って３２０列に配列された検出素子列を有し、被検体Ｐを透過したＸ線強度分布データを広範囲に検出する。
【００１８】
収集回路１４は、ＤＡＳ（Ｄａｔａ  Ａｃｑｕｓｉｔｉｏｎ  Ｓｙｓｔｅｍ）であり、Ｘ線検出器１３が検出したＸ線の検出データから、投影データを収集する。例えば、収集回路１４は、Ｘ線検出器１３により検出されたＸ線強度分布データに対して、増幅処理やＡ／Ｄ変換処理、チャネル間の感度補正処理等を行なって投影データを生成し、生成した投影データを後述するコンソール装置３０に送信する。
【００１９】
例えば、回転フレーム１５の回転中に、Ｘ線管１２ａからＸ線が連続照射されている場合、収集回路１４は、全周囲分（３６０度分）の投影データ群を収集する。また、収集回路１４は、収集した各投影データに管球位置を対応付けて、後述するコンソール装置３０に送信する。管球位置は、投影データの投影方向を示す情報となる。なお、チャネル間の感度補正処理は、後述する処理回路４０Ｂが、前処理機能３４により行なっても良い。
【００２０】
図３に、架台装置側インターフェース５０の概略が示されている。架台装置側インターフェース５０は、検査室側で、ユーザからＸ線ＣＴ装置の操作を受け付けるための装置である。架台装置側インターフェース５０は、例えば、ディスプレイ３２Ａと、記憶回路３７Ａと、入力装置３１Ａと、処理回路４０Ａを備える。処理回路４０Ａは、例えば、スキャン制御機能３３Ａと、制御機能３６Ａと、選択機能３９Ａと、第１設定機能４２とを有する。
【００２１】
実施形態では、構成要素であるスキャン制御機能３３Ａと制御機能３６Ａと選択機能３９Ａと第１設定機能４２にて行われる各処理機能は、コンピュータによって実行可能なプログラムの形態で記憶回路３７Ａへ記憶されている。処理回路４０Ａはプログラムを記憶回路３７Ａから読み出し、実行することで各プログラムに対応する機能を実現するプロセッサである。換言すると、各プログラムを読みだした状態の処理回路４０Ａは、図３の処理回路４０Ａ内に示された各機能を有することになる。
【００２２】
なお、図３においては単一の処理回路４０Ａにて、スキャン制御機能３３Ａと、制御機能３６Ａと、選択機能３９Ａと、第１設定機能４２にて行われる処理機能が実現されるものとして説明したが、複数の独立したプロセッサを組み合わせて処理回路４０Ａを構成し、各プロセッサがプログラムを実行することにより機能を実現するものとしても構わない。換言すると、上述のそれぞれの機能がプログラムとして構成され、１つの処理回路が各プログラムを実行する場合であってもよいし、特定の機能が専用の独立したプログラム実行回路に実装される場合であってもよい。
【００２３】
上記説明において用いた「プロセッサ」という文言は、例えば、ＣＰＵ（ｃｅｎｔｒａｌ  Ｐｒｏｃｅｓｓｉｎｇ  Ｕｎｉｔ）、ＧＰＵ（Ｇｒａｐｈｉｃａｌ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサは記憶回路３７Ａに保存されたプログラムを読み出し実行することで機能を実現する。なお、記憶回路３７Ａにプログラムを保存する代わりに、プロセッサの回路内にプログラムを直接組み込むよう構成しても構わない。この場合、プロセッサは回路内に組み込まれたプログラムを読み出し実行することで機能を実現する。第１設定機能４２、選択機能３９Ａ、制御機能３６Ａは、第１設定部、選択部及び制御部の一例である。
【００２４】
入力装置３１Ａは、Ｘ線ＣＴ装置のユーザが各種指示や各種設定の入力に用いるマウスやキーボード、ボタン、ペダル（フットスイッチ）等を有し、ユーザから受け付けた指示や設定の情報を、処理回路４０Ａに転送し、制御機能３６Ａの処理の用に供する。
【００２５】
ディスプレイ３２Ａは、ユーザが参照するモニタであり、処理回路４０Ａの有する制御機能３６Ａによる制御のもと、Ｘ線ＣＴ画像データ等をユーザに表示したり、入力装置３１Ａを介してユーザから各種指示や各種設定等を受け付けるためのＧＵＩ（Ｇｒａｐｈｉｃａｌ  Ｕｓｅｒ  Ｉｎｔｅｒｆａｃｅ）を表示したりする。例えば、ユーザは、検査情報登録用のＧＵＩに、図５に示す天板２２に載置された被検体Ｐの撮影時における体位等の検査情報を、入力装置３１Ａを用いて入力する。
【００２６】
処理回路４０Ａは、スキャン制御機能３３Ａにより、後述する制御機能３６Ａによる制御のもと、Ｘ線照射制御回路１１、架台駆動回路１６、収集回路１４及び後述する寝台駆動装置２１の動作を制御することで、架台装置１０における投影データの収集処理を制御する。
【００２７】
記憶回路３７Ａは、処理回路４０Ａの有する各処理機能を実行するためのプログラムを記憶する。また、記憶回路３７Ａは、処理回路４０Ａの有する各処理機能を実行するためのプログラムを実行するのに必要なデータを記憶する。また、記憶回路３７Ａは、ユーザからのＸ線ＣＴ装置の操作履歴をデータとして記憶する。
【００２８】
処理回路４０Ａは、制御機能３６Ａにより、架台装置１０、寝台装置２０及び架台装置側インターフェース５０の動作を制御することによって、Ｘ線ＣＴ装置の全体制御を行う。具体的には、処理回路４０Ａは、制御機能３６Ａにより、スキャン制御機能３３Ａを制御することで、架台装置１０で行なわれる撮影を制御する。また、処理回路４０Ａは、制御機能３６Ａにより、記憶回路３７Ａが記憶する各種画像データを、ディスプレイ３２Ａに表示するように制御する。また、処理回路４０Ａは、制御機能３６Ａにより、コンソール装置３０と通信を行い、コンソール装置３０に対してデータを送信したり、又はコンソール装置３０からデータを取得する。
【００２９】
処理回路４０Ａは、選択機能３９Ａ及び第１設定機能４２を備える。これらの処理については後述する。
【００３０】
図４には、コンソール装置３０の概略が示されている。コンソール装置３０は、架台装置側インターフェース５０と同様の装置であるが、操作室（Ｏｐｅｒａｔｉｏｎ  Ｒｏｏｍ）側に設置される。すなわち、コンソール装置３０は、操作室において、ユーザによるＸ線ＣＴ装置の操作を受け付ける装置である。加えて、コンソール装置３０は、例えば、架台装置１０によって収集されたＸ線検出データからＸ線ＣＴ画像データを再構成する。コンソール装置３０は、ディスプレイ３２Ｂと、記憶回路３７Ｂと、入力装置３１Ｂと、処理回路４０Ｂを備える。処理回路４０Ｂは、例えば、スキャン制御機能３３Ｂと制御機能３６Ｂと、第２設定機能３８と、前処理機能３４と、画像生成機能３５とを有する。また、実施形態によっては、処理回路４０Ｂは、選択機能３９Ｂを有する。
【００３１】
架台装置側インターフェース５０の場合において説明したのと同様に、構成要素であるスキャン制御機能３３Ｂと、制御機能３６Ｂと、選択機能３９Ｂと、第２設定機能３８と、前処理機能３４と、画像生成機能３５にて行われる各処理機能は、コンピュータによって実行可能なプログラムの形態で記憶回路３７Ｂへ記憶されている。同様に、処理回路４０Ｂはプログラムを記憶回路３７Ｂから読み出し、実行することで各プログラムに対応する機能を実現するプロセッサである。換言すると、各プログラムを読みだした状態の処理回路４０Ｂは、図４の処理回路４０Ｂ内に示された各機能を有することになる。なお、同様に、複数の独立したプロセッサを組み合わせて処理回路４０Ｂを構成し、各プロセッサがプログラムを実行することにより機能を実現するものとしても構わない。
【００３２】
また、上記説明において用いた「プロセッサ」という文言は、架台装置側インターフェース５０の説明において例示した構成と同様の構成を含む。プロセッサは記憶回路３７Ｂに保存されたプログラムを読み出し実行することで機能を実現する。なお、記憶回路３７Ｂにプログラムを保存する代わりに、プロセッサの回路内にプログラムを直接組み込むよう構成しても構わない。この場合、プロセッサは回路内に組み込まれたプログラムを読み出し実行することで機能を実現する。第２設定機能３８、選択機能３９Ｂ、制御機能３６Ｂは、それぞれ第２設定部、選択部、制御部の一例である。
【００３３】
ディスプレイ３２Ｂは、ユーザが参照するモニタである。ディスプレイ３２Ｂは、例えばディスプレイ３２Ａと同様の構成を有し、処理回路４０Ｂの有する制御機能３６Ｂによる制御のもと、Ｘ線ＣＴ画像データ等をユーザに表示したり、入力装置３１Ｂを介してユーザから各種指示や各種設定等を受け付けるためのＧＵＩを表示したりする。
【００３４】
記憶回路３７Ｂは、処理回路４０Ｂが前処理機能３４により生成した再構成用投影データを記憶する。また、記憶回路３７Ｂは、収集回路１４により収集された投影データそのものも記憶する。ここで、記憶回路３７Ｂは、処理回路４０Ｂが前処理機能３４により生成した投影データや、収集回路１４により生成した投影データに対応付けて、管球位置を記憶する。
【００３５】
入力装置３１Ｂは、例えば入力装置３１Ａと同様の構成を有し、ユーザから受け付けた指示や設定の情報を、処理回路４０Ｂに転送し、制御機能３６Ｂの処理の用に供する。
【００３６】
処理回路４０Ｂは、スキャン制御機能３３Ｂにより、後述する制御機能３６Ｂによる制御のもと、Ｘ線照射制御回路１１、架台駆動回路１６、収集回路１４及び寝台駆動装置２１の動作を制御することで、架台装置１０における投影データの収集処理を制御する。
【００３７】
処理回路４０Ｂは、制御機能３６Ｂにより、架台装置１０、寝台装置２０及びコンソール装置３０の動作を制御することによって、Ｘ線ＣＴ装置の全体制御を行う。具体的には、処理回路４０Ｂは、制御機能３６Ｂにより、スキャン制御機能３３Ｂを制御することで、架台装置１０で行なわれる撮影を制御する。また、処理回路４０Ｂは、制御機能３６Ｂにより、前処理機能３４や、画像生成機能３５を制御することで、コンソール装置３０における画像再構成処理や画像生成処理を制御する。また、処理回路４０Ｂは、制御機能３６Ｂにより、記憶回路３７Ｂが記憶する各種画像データを、ディスプレイ３２Ｂに表示するように制御する。また、処理回路４０Ｂは、制御機能３６Ｂにより、架台装置側インターフェース５０と通信を行い、架台装置側インターフェース５０に対してデータを送信したり、又は架台装置側インターフェース５０からデータを取得したりする。
【００３８】
実施形態によっては、処理回路４０Ｂは、選択機能３９Ｂを備える。また、処理回路４０Ｂは、第２設定機能３８を備える。これらの処理については後述する。
【００３９】
処理回路４０Ｂは、前処理機能３４により、本撮影時に収集回路１４によって生成された投影データに対して、対数変換処理と、オフセット補正、感度補正及びビームハードニング補正等の補正処理とを行なって、補正済みの投影データを生成する。以下では、処理回路４０Ｂが、前処理機能３４により生成する本撮影に関する補正済みの投影データを再構成用投影データと記載する。
【００４０】
処理回路４０Ｂは、画像生成機能３５により、記憶回路３７Ｂが記憶する投影データを用いて各種画像データを生成する処理部であり、画像再構成機能を有する。
【００４１】
処理回路４０Ｂは、画像生成機能３５により、記憶回路３７Ｂが記憶する再構成用投影データを用いてＸ線ＣＴ画像データを再構成する。再構成方法としては、種々の方法があり、例えば、逆投影処理が挙げられる。また、逆投影処理としては、例えば、ＦＢＰ（Ｆｉｌｔｅｒｅｄ  Ｂａｃｋ  Ｐｒｏｊｅｃｔｉｏｎ）法による逆投影処理が挙げられる。或いは、処理回路４０Ｂは、画像生成機能において、逐次近似法を用いて、Ｘ線ＣＴ画像データを再構成しても良い。
【００４２】
処理回路４０Ｂは、画像生成機能３５により、ヘリカルスキャンや、面検出器であるＸ線検出器１３を用いたコンベンショナルスキャン、ステップアンドシュート方式のコンベンショナルスキャンにより収集された投影データを用いて、３次元Ｘ線ＣＴ画像データを再構成することができる。例えば、処理回路４０Ｂは、画像生成機能３５により、複数のアキシャル面の断層像データとして３次元Ｘ線ＣＴ画像データを再構成する。断層像データは、表示用の２次元Ｘ線ＣＴ画像データとして用いることができる。また、処理回路４０Ｂは、画像生成機能３５により、３次元Ｘ線ＣＴ画像データから、各種レンダリング処理を行なって、表示用の２次元Ｘ線ＣＴ画像データを生成する。レンダリング処理としては、断面再構成法（ＭＰＲ：Ｍｕｌｔｉ  Ｐｌａｎａｒ  Ｒｅｃｏｎｓｔｒｕｃｔｉｏｎ）により、３次元Ｘ線ＣＴ画像データから任意の断面のＭＰＲ画像データを再構成する処理がある。また、レンダリング処理としては、ボリュームレンダリング（Ｖｏｌｕｍｅ  Ｒｅｎｄｅｒｉｎｇ）処理や、最大値投影法（ＭＩＰ：Ｍａｘｉｍｕｍ  Ｉｎｔｅｎｓｉｔｙ  Ｐｒｏｊｅｃｔｉｏｎ）により、３次元Ｘ線ＣＴ画像データから３次元の情報を反映したＶＲ画像データやＭＩＰ画像データを生成する処理がある。
【００４３】
図５には、寝台装置２０の概略が示されている。寝台装置２０は、被検体Ｐを載せる装置であり、天板２２と、寝台駆動装置２１とを有する。天板２２は、被検体Ｐが載置される板である。寝台駆動装置２１は、制御機能３６Ａを実行する処理回路４０Ａの制御のもと、又は制御機能３６Ｂを実行する処理回路４０Ｂの制御のもと、天板２２をＺ軸方向へ移動することにより、被検体Ｐを回転フレーム１５内（撮影空間内）に移動させる。
【００４４】
架台装置１０は、本撮影時において、例えば、天板２２を移動させながら回転フレーム１５を回転させて被検体Ｐをらせん状にスキャンするヘリカルスキャンを実行する。又は、架台装置１０は、本撮影時において、天板２２を移動させた後に被検体Ｐの位置を固定したままで回転フレーム１５を回転させて被検体Ｐを円軌道にてスキャンするコンベンショナルスキャンを実行する。又は、架台装置１０は、本撮影時において、天板２２の位置を一定間隔で移動させてコンベンショナルスキャンを複数のスキャンエリアで行なうステップアンドシュート方式を実行する。
【００４５】
エリア表示投光器６０は、被検体Ｐに光を照射することで、撮影範囲がおおよそどのくらいの大きさであるかを、ユーザが確認するための装置である。一例として、エリア表示投光器６０は、エリア表示投光器６０に取り付けられた絞りを調節することにより、所定の領域の範囲で、光を照射する。ユーザは、被検体Ｐの体表面に重ねて照射された光を確認することにより、撮影範囲の中心位置がずれていないか、撮影範囲が小さすぎたり大きすぎたりしないかを確認することができる。ここで、撮影範囲とは、例えばＸ線の曝射範囲を意味しても良いし、或いは再構成範囲を意味しても良い。エリア表示投光器６０として用いられる光源の例としては、例えば、ＬＥＤ投光器、水銀灯投光器、ハロゲンランプ、その他の投光器が挙げられる。
【００４６】
処理回路４０Ａは、制御機能３６Ａにより（或いは、処理回路４０Ｂは、制御機能３６Ｂにより）、エリア表示投光器６０の光の照射範囲を、撮影条件設定と自動的に連動させることができる。この場合、処理回路４０Ａは、制御機能３６Ａにより、例えば現在の撮影条件設定のもとでのＸ線曝射範囲（或いは再構成範囲）に対応する照射範囲を、エリア表示投光器６０の光の照射範囲に設定する。また、逆に、ユーザがエリア表示投光器６０の光の照射範囲を変更した場合、処理回路４０Ａは、制御機能３６Ａにより、Ｘ線曝射範囲を、ユーザが変更後の光の照射範囲となるように変更する。これらの処理の詳細については後述する。
【００４７】
以上のように、第１の実施形態に係るＸ線ＣＴ装置の構成要素の概略を説明したが、実施形態はこれに限られない。
【００４８】
例えば、図４の処理回路４０Ｂが、前処理機能３４及び画像生成機能３５を備える場合、すなわちコンソール装置３０において画像再構成を行う場合については、実施形態はこれに限られない。例えば、コンソール装置３０は表示端末としての機能のみを有し、ネットワークに接続され架台装置１０の収集回路１４からデータを受信した計算機サーバーが画像再構成を行い、再構成後の出力画像をコンソール装置３０に送信して出力画像を表示させてもよい。
【００４９】
また、架台装置側インターフェース５０が、ディスプレイ３２Ａを備え、また入力装置３１Ａとしてキーボード等を備えた場合について説明したが、実施形態はこれに限られない。例えば、架台装置側インターフェース５０は、スイッチやボタン等、簡便なインターフェースであってもよい。
【００５０】
次に、実施形態に係るＸ線ＣＴ装置について、技術背景を簡単に説明する。
【００５１】
Ｘ線ＣＴ装置を用いた撮影においては、被検体Ｐの撮影範囲などの撮影条件の設定を、コンソール装置３０側で行う方法と、架台装置１０側で行う方法とがある。架台装置１０側に備えられた架台装置側インターフェース５０は、コンソール装置３０と比較して通常は簡便なインターフェースであることが多いことから、撮影条件の設定は、通常、複雑な設定を行うのに適したコンソール装置３０側で行われる。しかしながら、撮影条件の設定を、架台装置１０側で行うのが望ましいケースも存在する。例えば、被検体Ｐの撮影範囲の調整にあたっては、被検体Ｐの寝台位置の調整を伴うことから、ユーザである放射線技師は、コンソール装置３０（操作室）側ではなく、架台装置１０（検査室）側にいることが多い。コンソール装置３０と架台装置１０が物理的に距離が離れている場合など、撮影条件の設定が、コンソール装置３０側からしかできないとすると、撮影条件の設定をするため、操作室と検査室を往復しなくてはならずわずらわしさに堪えない。
【００５２】
従って、撮影においては、必要に応じて、架台装置１０側の操作のみで、撮影条件の設定を完了できることが望ましい。もちろん、撮影においては、コンソール装置３０側の操作のみでも、撮影条件の設定を完了できることも望ましい。
【００５３】
しかしながら、撮影条件の設定を、架台装置１０側からもコンソール装置３０側からもできるとした場合、架台装置１０側とコンソール装置３０側のどちらの情報を用いて撮影条件の設定を行うかを明確にしないと、ユーザの意図しない撮影条件で撮影が行われてしまう可能性が考えられる。例えば、架台装置１０側とコンソール装置３０側に技師がそれぞれ一人ずつ合計二人おり、協力して検査を行うようなケースにおいて、架台装置１０側とコンソール装置３０側両方から撮影条件の設定を行うことができるとすると、二人の技師の間のコミュニケーションが不全であると、意図しない撮影条件で撮影が行われてしまい、検査の失敗につながる。
【００５４】
かかる点に鑑みて、第１の実施形態に係るＸ線ＣＴ装置は、架台装置１０側での撮影条件の入力と、コンソール装置３０側での撮影条件の入力のどちらを用いて被検体Ｐの撮影を実行するかを選択する情報である選択情報の入力をユーザから受け付け、受け付けた選択情報に基づいて被検体Ｐの撮影を行う。換言すると、撮影計画の際、処理回路４０Ａは、選択機能３９Ａにより（又は、処理回路４０Ｂは、選択機能３９Ｂにより）、第１設定機能４２又は第２設定機能３８のいずれにより撮影条件を確定可能とするかを選択する選択情報の入力を受けつけ、選択機能により受け付けた選択情報に基づいて架台装置１０に撮影を実行させる。これにより、コンソール装置３０側だけではなく、架台装置１０側のみから、撮影条件の設定を行うことができる。
【００５５】
かかる点について、必要に応じて図７を参照しながら、図６を用いて説明する。図６は、第１の実施形態に係るＸ線ＣＴ装置の行う処理の流れについて説明したフローチャートである。また、図７は、第１の実施形態に係るＸ線ＣＴ装置における、エリア表示投光器設定のための画面デザインの一例である。
【００５６】
図６のフローチャートにおいて、はじめに、コンソール装置３０（端末装置）側で、患者登録が行われる。すなわち、コンソール装置３０の有する処理回路４０Ｂは、入力装置３１Ｂを通じて、患者登録を行う（ステップＳ１０１）。具体的には、処理回路４０Ｂは、入力装置３１Ｂを通じて、ユーザから患者氏名、患者ＩＤなどの入力を受け付ける。
【００５７】
続いて、処理回路４０Ｂは、制御機能３６Ｂにより、被検体Ｐの撮影に関するエキスパートプランの選択の入力をユーザから受け付ける（ステップＳ１０２）。ここで、エキスパートプランとは、例えば、撮影計画のプリセット条件としての様々な撮影条件のことを指す。ここで、撮影条件とは、撮影の際の条件である狭義の撮影条件と、再構成条件等の画像生成条件の両方を含み、具体例として、管電圧、管電流、回転フレーム１５の回転速度、スライス厚、列数、種々の再構成条件が挙げられる。処理回路４０Ｂは、ディスプレイ３２Ｂを通じて、プリセット条件の候補を複数、ディスプレイ３２Ｂに表示させ、ユーザにプリセット条件の候補を複数提示する。ユーザが入力装置３１Ｂを通じて複数のプリセット条件のうちの一つのプリセット条件を選択すると、処理回路４０Ｂは、制御機能３６Ｂにより、選択された一つのプリセット条件を、被検体Ｐの撮影条件として設定する。
【００５８】
また、処理回路４０Ｂは、ディスプレイ３２Ｂを通じてユーザにプリセット条件の候補を複数提示するとともに、選択機能３９Ｂにより、コンソール装置３０側に設けられた入力装置３１Ｂを通じて、選択情報（フラグ情報）の入力を受け付ける。ここで、選択情報とは、架台装置１０側とコンソール装置３０側（端末装置側）どちらで撮影条件の設定が行われるかを選択する情報である。換言すると、選択情報とは、架台装置１０側でユーザから入力を受け付けた第１の撮影条件と、コンソール装置３０側でユーザから入力を受け付けた第２の撮影条件とのうちいずれの撮影条件を用いて、架台装置１０が被検体Ｐの撮影を実行するか（例えば、架台装置１０側とコンソール装置３０側のどちら側で、放射線曝射開始ボタンを有効化するか）を選択するための情報である。ユーザによって選択情報（フラグ情報）が入力されると、処理回路４０Ｂは、撮影計画に選択可能な複数のプリセット条件のうち、一部のプリセット条件に、第１設定機能４２又は第２設定機能３８に係るフラグ情報を、選択情報として対応づける。なお、選択情報（フラグ情報）は、ユーザからの入力によって定められる場合に限られず、前述のプリセット条件の候補の中に、予め組み込まれて、プリセット条件のうちの一つとして設定されていてもよい。
【００５９】
例えば、選択情報が、架台装置１０側で設定される第１の撮影条件を用いて被検体の撮影を実行する旨の情報である場合、後述のステップＳ１２３Ａ等において、処理回路４０Ａは、制御機能３６Ａにより、選択情報に基づいて、架台装置１０側で設定される第１の撮影条件を用いて架台装置１０に被検体Ｐの撮影を実行させる。逆に、選択情報が、コンソール装置３０側で設定される第２の撮影条件を用いて被検体Ｐの撮影を実行する旨の情報である場合、後述のステップＳ１２３Ｂにおいて、処理回路４０Ｂは、制御機能３６Ｂにより、選択情報に基づいて、コンソール装置３０側で設定される第２の撮影条件を用いて架台装置１０に被検体Ｐの撮影を実行させる。
【００６０】
また、選択情報は、撮影の開始すなわちＸ線の照射開始に関するユーザからの操作を、架台装置１０側とコンソール装置３０側どちらで受け付けるかを選択する情報でもある。例えば、選択情報が、架台装置１０側で設定される第１の撮影条件を用いて被検体Ｐの撮影を実行する旨の情報である場合、架台装置１０は、架台装置１０側でのみユーザからの撮影の開始操作を受け付け、コンソール装置３０側でのユーザからの撮影の開始操作は受け付けない（無効化する）。逆に、選択情報が、コンソール装置３０側で設定される第２の撮影条件を用いて被検体Ｐの撮影を実行する旨の情報である場合、架台装置１０は、コンソール装置３０側でのみユーザからの撮影の開始操作を受け付け、架台装置１０側でのユーザからの撮影の開始操作は受け付けない（無効化する）。
【００６１】
処理回路４０Ｂは選択機能３９Ｂにより、入力装置３１Ｂを通じてユーザから選択情報の入力を受け付けると、制御機能３６Ｂにより、引き続き入力装置３１Ｂを通じてユーザから、更なる撮影条件の入力を受け付ける（ステップＳ１０２）。ここで、更なる撮影条件とは、被検体Ｐの撮影範囲以外の撮影条件、例えば、Ｘ線管１２ａに印加される電圧、Ｘ線管１２ａの管電流、回転フレーム１５の回転速度、スライス厚、列数、種々の再構成条件等のさまざまな撮影条件を意味する。
【００６２】
第１の実施形態では、これらの様々な撮影条件の中でも、「被検体Ｐの撮影範囲」という撮影条件については、別個に取り扱われる。具体的には、「被検体Ｐの撮影範囲」については、選択情報に基づいて、架台装置１０側とコンソール装置３０側のうち、ユーザが選択した側において条件の設定が行われる。これに対して、「被検体Ｐの撮影範囲」以外の撮影条件については、ステップＳ１０２で、コンソール装置３０側で、処理回路４０Ｂの制御機能３６Ｂにより条件の設定が行われる。
【００６３】
処理回路４０Ｂが制御機能３６Ｂにより、ステップＳ１０２において「被検体Ｐの撮影範囲」以外の撮影条件についてユーザからの入力の受け付けを完了すると、続いて、架台装置１０は、ユーザから架台装置１０の操作を受け付ける。架台装置１０は、被検体Ｐの寝台装置２０へのセッティングを行う（ステップＳ１０３）。具体的には、実施形態に係るＸ線ＣＴ装置を操作するユーザは、被検体Ｐを寝台装置２０の天板２２の上に載置する。処理回路４０Ａは、制御機能３６Ａにより、ユーザから寝台装置２０の天板２２の位置の移動操作を受け付ける。ユーザは、寝台装置２０の天板２２を操作して、被検体Ｐの撮影領域の中心が、Ｘ線の曝射領域の略中心となるように天板２２を移動させる。
【００６４】
ステップＳ１０３の処理が完了すると、処理回路４０Ａは、選択機能３９Ａにより、処理回路４０Ｂが選択機能３９ＢによりステップＳ１０２において入力を受け付けた選択情報に基づいて、以降の処理を、架台装置１０側で行うか、或いはコンソール装置３０側で行うか、決定する（ステップＳ１０５）。選択情報が架台装置１０側で設定される第１の撮影条件を用いて被検体Ｐの撮影を実行する旨の情報である場合、すなわち架台装置１０側で処理を行う旨の情報である場合、以降のＳ１０４Ａ〜Ｓ１２６Ａの処理は架台装置１０側で行われる。また、選択情報がコンソール装置３０側で設定される第２の撮影条件を用いて被検体Ｐの撮影を実行する旨の情報である場合、すなわちコンソール装置３０側で処理を行う旨の情報である場合、以降のＳ１０４Ｂ〜Ｓ１２６Ｂの処理はコンソール装置３０側で行われる。
【００６５】
以下、まず、選択情報が、架台装置１０側で処理を行う旨の情報である場合、すなわちステップＳ１０４Ａ〜Ｓ１２６Ａの処理について説明する。
【００６６】
架台装置１０側に設けられた架台装置側インターフェース５０の処理回路４０Ａは、被検体Ｐに対する架台装置１０側で設定される第１の撮影条件の入力を受け付ける第１設定機能４２により、架台装置１０側に設けられたエリア表示投光器６０に対する操作を受け付ける。
【００６７】
例えば、処理回路４０Ａは、第１設定機能４２により、所定の操作ボタンを通じてエリア表示投光器６０に対する操作を受け付けてもよい。また、別の例として、処理回路４０Ａは、第１設定機能４２により、キーボード、マウスなどの入力装置３１Ａ及び、ディスプレイ３２Ａ等を備えるユーザインターフェースを通じて、エリア表示投光器６０に対する操作を受け付けてもよい。
【００６８】
図７には、第１の実施形態に係るＸ線ＣＴ装置における、エリア表示投光器６０設定のための画面デザインの一例が示されている。図７に示されている画面は、例えば、ディスプレイ３２Ａやディスプレイ３２Ｂ上に表示される画面である。
【００６９】
処理回路４０Ａは、例えば、図７に示されているように、第１設定機能４２により、図示しない光学カメラで天井方向から被検体Ｐをリアルタイム撮影したデータを、ディスプレイ３２Ａに表示させる。光学カメラが取得したデータから、ユーザは、エリア表示投光器６０が照射した光の範囲を、被検体Ｐの体表面に重ねて、例えば領域９０のように読み取ることができる。
【００７０】
処理回路４０Ａは、図７に示されているユーザインターフェースを通じて、ユーザからエリア表示投光器６０が照射する光の範囲の変更を受け付ける。例えば、現在エリア表示投光器６０が照射する光の範囲は、列方向に「８０ｃｍ」、チャンネル方向に「８０ｃｍ」となっている。ユーザがボタン９１をクリックすると、例えば、エリア表示投光器６０が照射する光の範囲は、列方向に「９０ｃｍ」、チャンネル方向に「８０ｃｍ」となる。処理回路４０Ａは、例えば、このような変更を受け付ける。
【００７１】
また、ユーザがボタン９３をクリックすると、処理回路４０Ａは、第１設定機能４２により、処理回路４０Ａが制御機能３６ＡによりＸ線照射制御回路１１を制御する撮影条件を取得し、エリア表示投光器６０が照射する光の範囲の暫定値として、画面に反映させる。例えば、処理回路４０Ａが制御機能３６Ａにより、Ｘ線照射制御回路１１に対して、Ｘ線曝射範囲が、列方向に「８０ｃｍ」、チャンネル方向に「８０ｃｍ」となるようなＸ線照射角度等になるような制御信号を送信している場合を考える。この場合、処理回路４０Ａは、現在の撮影条件では、Ｘ線曝射範囲が、列方向に「８０ｃｍ」、チャンネル方向に「８０ｃｍ」となると判定し、第１設定機能４２により、エリア表示投光器６０が照射する光の範囲の暫定値を、列方向に「８０ｃｍ」、チャンネル方向に「８０ｃｍ」に設定する。
【００７２】
また、ユーザがボタン９５をクリックすると、処理回路４０Ａは、第１設定機能４２により、エリア表示投光器６０が照射する光の範囲の暫定値を、予めプリセットされた初期値に初期化する。
【００７３】
また、ユーザがラジオボタン９２Ａ及び９２Ｂを操作すると、処理回路４０Ａは、第１設定機能４２により、現在設定されている管電流、管電圧、照射角度等の下でのＸ線曝射範囲に基づいてエリア表示投光器６０が照射する光の範囲の暫定値を定めるか、現在設定されている管電流、管電圧、照射角度等の下での画像再構成可能範囲の大きさに基づいてエリア表示投光器６０が照射する光の範囲の暫定値を定めるかを互いに切り替えることができる。
【００７４】
また、ユーザがボタン９４をクリックすると、処理回路４０Ａは、第１設定機能４２により、エリア表示投光器６０が照射する光の範囲を、図７のユーザインターフェースにより現在設定されている暫定値で確定させる。この時、処理回路４０Ａは、第１設定機能４２により、確定した照射する光の範囲の大きさの値をエリア表示投光器６０に送信する。エリア表示投光器６０は、処理回路４０Ａから取得した値を基に、光を照射する。このようにしてエリア表示投光器６０が照射した光は、前述の光学カメラに捕捉され、ユーザは、エリア表示投光器６０が照射した光の範囲を被検体Ｐの体表面に重ねて読み取ることができる。
【００７５】
このように、処理回路４０Ａは、第１設定機能４２により、エリア表示投光器６０に対する操作を受け付けて被検体Ｐに対する撮影範囲を調整する（ステップ１０４Ａ）。
【００７６】
処理回路４０Ａは、第１設定機能４２により、ユーザから、撮影範囲の調整が終了し撮影条件（撮影範囲の大きさ）を確定させる旨のボタンであるボタン９６（エリア表示投光器６０の設定反映ボタン）のクリック入力を受け付ける。ユーザがエリア表示投光器６０の設定反映ボタンであるボタン９６をクリックすると（ステップＳ１０６Ａ）、処理回路４０Ａは、第１設定機能４２により、調整された撮影範囲を、第１の撮影条件に含まれる撮影条件として設定し、「被検体Ｐの撮影範囲」の大きさを確定させる。
【００７７】
続いて、処理回路４０Ａは、第１設定機能４２により、ユーザから、撮影範囲以外の他の撮影条件の設定が終了し、すべての撮影条件を確定させる旨のボタンである「Ｃｏｎｆｉｒｍ」ボタン（図示しない）のクリック入力を受け付ける。ユーザが「Ｃｏｎｆｉｒｍ」ボタンをクリックすると（ステップＳ１１０Ａ）、処理回路４０Ａは、第１設定機能４２により、すべての撮影条件を確定させる。
【００７８】
なお、第１の実施形態では、「被検体Ｐの撮影範囲」以外の撮影条件については、ステップＳ１０２において既に定められ確定している。
【００７９】
ユーザが「Ｃｏｎｆｉｒｍ」ボタンを押すと、処理回路４０Ａは、スキャン制御機能３３Ａにより、架台装置１０側で撮影が可能になったと判定する（ステップＳ１２０Ａ）。なお、これらの処理と並行して、ユーザが「Ｃｏｎｆｉｒｍ」ボタンを押し、ユーザから第１の撮影条件の入力を受け付けると、処理回路４０Ａは、制御機能３６Ａにより、入力を受け付けた第１の撮影条件を、コンソール装置３０に送信し、コンソール装置３０に情報を反映させる（ステップＳ１１０Ａから伸びる点線矢印）。コンソール装置３０は、ディスプレイ３２Ｂに、受信した情報を表示する。このように、処理回路４０Ａは、架台装置側インターフェース５０にて行った設定情報をすみやかにコンソール装置３０に送信し反映させることで、例えば複数の医療スタッフで撮影を行う場合に、情報共有をスムーズに行うことができる。
【００８０】
架台装置１０側の処理に戻り、ステップＳ１２０Ａに続いて、処理回路４０Ａは、制御機能３６Ａにより、ステップＳ１０６Ａでエリア表示投光器６０設定反映ボタンが押されてから、ユーザがエリア表示投光器６０を操作したか否かを検出する（ステップＳ１２１Ａ）。ユーザの操作を検出しない場合（ステップＳ１２１Ａ  Ｎｏ）、特に問題はないので、処理は次のステップに進む。ユーザの操作を検出した場合（ステップＳ１２１Ａ  Ｙｅｓ）、ユーザが撮影範囲を変更しようとしている可能性が高いため、処理回路４０Ａは、選択機能３９Ａにより、被検体Ｐに対する撮影条件をリセットし被検体Ｐに対する撮影条件の再設定を行う。この場合、処理はステップＳ１０４Ａに戻り、処理回路４０Ａは、エリア表示投光器６０の設定をやり直す。具体的には、処理回路４０Ａは、第１設定機能４２により、撮影範囲が調整された後の架台装置１０側におけるユーザの操作により調整された撮影範囲を、第１の撮影条件に含まれる撮影条件として設定する。
【００８１】
ステップＳ１２１Ａ  Ｎｏの場合に戻る。この場合、撮影の準備が完了したので、処理回路４０Ａは、撮影待ち状態となり（ステップＳ１２２Ａ）、入力装置３１Ａを通じて、撮影開始指示の入力を受け付ける。ユーザから、撮影開始をする旨の入力を受け付けた場合、処理回路４０Ａは、制御機能３６Ａにより、Ｘ線照射制御回路１１に、所定の信号を送信し、選択情報に基づいて、架台装置１０に撮影を実行させる。この結果、撮影が開始される（ステップＳ１２３Ａ）。処理回路４０Ａは、一つの撮影が終わると、再び撮影待ち状態となり、入力装置３１Ａを通じて、撮影開始指示の入力を受け付ける（ステップＳ１２４Ａ）。また、処理回路４０Ａは、制御機能３６Ａにより、ユーザがエリア表示投光器６０を操作したか否かを検出する（ステップＳ１２５Ａ）。ユーザの操作を検出しない場合（ステップＳ１２５Ａ  Ｎｏ）、特に問題はないので、処理は次のステップに進み、撮影待ち状態となる（ステップＳ１２６Ａ）。ユーザの操作を検出した場合（ステップＳ１２５Ａ  Ｙｅｓ）、処理はステップＳ１０４Ａに戻る。このように、ステップＳ１２１Ａ〜Ｓ１２６Ａで、処理回路４０Ａは、一つの被検体Ｐに対して、一つの撮影計画に含まれる複数の撮影を、すべての撮影が終了するまで行う。
【００８２】
次に、ステップＳ１０５に戻り、選択情報が、コンソール装置３０側で処理を行う旨の情報である場合、すなわちステップＳ１０４Ｂ〜Ｓ１２６Ｂの処理について説明する。ステップＳ１０４Ａ〜Ｓ１２６Ａと同様な処理については、詳細な説明は省略する。
【００８３】
ステップＳ１０４Ｂにおいては、ステップＳ１０４Ａと同様な処理が行われる。すなわち、架台装置１０と通信を行うコンソール装置３０に設けられた処理回路４０Ｂは、被検体Ｐに対する第２の撮影条件の入力を受け付ける第２設定機能３８により、コンソール装置３０を通じてユーザからの操作を受け付ける。ステップＳ１０４Ａと同様に、処理回路４０Ｂは、第２設定機能３８により、例えば図７で説明したのと同様のユーザインターフェースを用いて、エリア表示投光器６０に対する操作を受け付けて被検体Ｐに対する撮影範囲を調整する。なお、第２設定機能３８を実行する処理回路４０Ｂは、エリア表示投光器６０に対する操作を経由せず、画面上で撮影範囲を調整してもよい。
【００８４】
同様に、ユーザがエリア表示投光器６０の設定反映ボタンをクリックすると、（ステップＳ１０６Ｂ）、処理回路４０Ｂは、第２設定機能３８により、調整された撮影範囲を、第２の撮影条件に含まれる撮影条件として設定し、「被検体Ｐの撮影範囲」の大きさを確定させる。
【００８５】
ユーザが「Ｃｏｎｆｉｒｍ」ボタンをクリックすると（ステップＳ１１０Ｂ）、処理回路４０Ｂは、第２設定機能３８により、すべての撮影条件を確定させる。このようにユーザから第２の撮影条件の入力を受け付けると、処理回路４０Ｂは、制御機能３６Ｂにより、第２の撮影条件を、架台装置１０に送信し、架台装置側インターフェース５０に情報を反映させ（ステップＳ１１０Ｂから伸びる点線矢印）、この結果、架台装置１０側は撮影可能状態となる（ステップＳ１２０Ｂ）。架台装置側インターフェース５０は、ディスプレイ３２Ａに、受信した情報を表示する。このように、処理回路４０Ｂは、コンソール装置３０にて行った設定情報をすみやかに架台装置側インターフェース５０に送信し反映させることで、例えば複数の医療スタッフで撮影を行う場合に、情報共有をスムーズに行うことができる。
【００８６】
コンソール装置３０側の処理に戻ると、続いて、処理回路４０Ｂは、制御機能３６Ｂにより、ステップＳ１０６Ｂでエリア表示投光器設定反映ボタンが押されてから、ユーザがエリア表示投光器６０を操作したか否かを検出する（ステップＳ１２１Ｂ）。ユーザの操作を検出しない場合（ステップＳ１２１Ｂ  Ｎｏ）、特に問題はないので、処理は次のステップに進む。ユーザの操作を検出した場合（ステップＳ１２１Ｂ  Ｙｅｓ）、ユーザが撮影範囲を変更しようとしている可能性が高いため、処理回路４０Ｂは、選択機能３９Ｂにより、被検体Ｐに対する撮影条件をリセットし被検体Ｐに対する撮影条件の再設定を行う。この場合、処理はステップＳ１０４Ｂに戻り、処理回路４０Ｂは、エリア表示投光器６０の設定をやり直す。すなわち、実施形態に係るＸ線ＣＴ装置は、プリセット条件に対応づけられる第１設定機能４２又は第２設定機能３８に係るフラグ情報（選択情報）を変更するための変更部（図示しない）を備える。
【００８７】
ステップＳ１２１Ｂ  Ｎｏの場合に戻る。この場合、撮影の準備が完了したので、処理回路４０Ｂは、撮影待ち状態となり（ステップＳ１２２Ｂ）、入力装置３１Ｂを通じて、撮影開始指示の入力を受け付ける。ユーザから撮影開始をする旨の入力を受け付けた場合、処理回路４０Ｂは、制御機能３６Ｂにより、Ｘ線照射制御回路１１に、所定の信号を送信し、選択情報に基づいて、架台装置１０に撮影を実行させる。この結果、撮影が開始される（ステップＳ１２３Ｂ）。
【００８８】
処理回路４０Ｂは、一つの撮影が終わると、再び撮影待ち状態となり、入力装置３１Ｂを通じて、撮影開始指示の入力を受け付ける（ステップＳ１２４Ｂ）。また、処理回路４０Ｂは、制御機能３６Ｂにより、ユーザがエリア表示投光器６０を操作したか否かを検出する（ステップＳ１２５Ｂ）。ユーザの操作を検出しない場合（ステップＳ１２５Ｂ  Ｎｏ）、特に問題はないので、処理は次のステップに進み、撮影待ち状態となる（ステップＳ１２６Ｂ）。ユーザの操作を検出した場合（ステップＳ１２５Ｂ  Ｙｅｓ）、処理はステップＳ１０４Ｂに戻る。このように、ステップＳ１２１Ｂ〜Ｓ１２６Ｂで、処理回路４０Ｂは、一つの被検体Ｐに対して、一つの撮影計画に含まれる複数の撮影を、すべての撮影が終了するまで行う。
【００８９】
次に、ステップＳ１２７Ｂ以降の処理について説明する。ユーザが「ＱｕｉｔＥｘａｍ」ボタンを押すと、すなわち現在のエキスパートプラン（所定のプリセット条件）の処理をいったん終了して新しいエキスパートプラン（所定のプリセット条件）を選択する旨の入力があると（ステップＳ１２７Ｂ  Ｙｅｓ）、処理はステップＳ１０２に戻り、処理回路４０Ｂは、入力装置３１Ｂを通じて、所定のプリセット条件の再選択を行う。ユーザが「ＱｕｉｔＥｘａｍ」ボタンを押さないと（ステップＳ１２７Ｂ  Ｎｏ）、処理は次のステップに進み、撮影待ち状態となる（ステップＳ１３０）。
【００９０】
ユーザが「Ｎｅｘｔ  Ｐａｔｉｅｎｔ」ボタンを押すと、すなわちユーザから、現在撮影中の患者の撮影がすべて終了し次の患者の検査を開始する旨の入力があると、（ステップＳ１３１  Ｙｅｓ）、処理はステップＳ１０１に戻り次の患者の登録が行われる。ステップＳ１３１  Ｎｏの場合は、処理はステップＳ１３０に戻り、撮影待ち状態となる。
【００９１】
以上のように、第１の実施形態に係るＸ線ＣＴ装置の行う処理の流れについて説明したが、実施形態はこれに限られない。
【００９２】
実施形態において、処理回路４０Ａ及び処理回路４０Ｂが、独立した処理回路として、それぞれ架台装置１０側、コンソール装置３０側に設けられる場合について説明したが、実施形態はこれに限られない。一例として、処理回路４０Ａ及び処理回路４０Ｂとが、一つの処理回路として構成されてもよい。かかる場合、処理回路は、投光器に対する操作を受け付けて被検体Ｐに対する撮影範囲を調整し、調整された撮影範囲を、第１の撮影条件に含まれる撮影条件として設定する処理回路４０Ａ（第１の処理回路）と、端末装置を通じて操作者からの操作を受け付けて被検体Ｐに対する撮影範囲を調整し、調整された撮影範囲を、第２の撮影条件に含まれる撮影条件として設定する処理回路４０Ｂ（第２の処理回路）とを含む。
【００９３】
ステップＳ１０１及びステップＳ１０２の操作を、コンソール装置３０側（端末装置側）で行う場合について説明したが、実施形態はこれに限られない。例えば、ステップＳ１０１及びステップＳ１０２の操作は、架台装置１０側で行われても良い。また、ステップＳ１０５の操作を、架台装置１０側で行う場合について説明したが、実施形態はこれに限られない。例えば、ステップＳ１０５の操作は、コンソール装置３０側で行われても良い。
【００９４】
エリア表示投光器６０の設定（ステップＳ１０４Ａ）で、処理回路４０Ａが、図７のようなインターフェースを備える場合について説明したが、実施形態はこれに限られない。例えば、キーボードやマウスからの入力が可能であることは必須の構成要件ではなく、例えば入力装置３１Ａとして、ボタンやスイッチを用いても良い。また、ディスプレイ３２Ａは必須の構成要件ではなく、例えば、ＬＥＤランプの点灯状態を用いて出力装置としてもよい。
【００９５】
実施形態では、撮影開始指示について、処理回路４０Ａ及び処理回路４０Ｂが選択情報により選択された側からの指示しか受け付けない場合について説明したが、実施形態はこれに限られない。例えば、被検体Ｐの撮影範囲の変更については、処理回路４０Ａ及び処理回路４０Ｂは、選択情報により選択された側からの指示しか受け付けないが、撮影開始指示については、コンソール装置３０側と架台装置１０側のいずれからの指示をも受け付ける、といったケースも考えられる。
【００９６】
また、実施形態では、例えば、ステップＳ１２１Ｂ、ステップＳ１２５Ｂにおいて、エリア表示投光器６０の操作が実施されるか否か、について、エリア表示投光器６０の操作として、処理が行われている側での操作のみが判定対象になる場合について説明したが、実施形態はこれに限られない。例えば、ステップＳ１２１Ｂにおいて、架台装置１０側で、ユーザによるエリア表示投光器６０の操作が行われた場合にも、処理回路４０Ｂは、ステップＳ１２１Ｂ  Ｙｅｓと判定してもよい。また、プリセット条件に対応付けられる第１設定機能４２又は第２設定機能３８に係るフラグ情報を変更するタイミングは、ステップＳ１２１Ｂ及びステップＳ１２５Ｂ等に限られず、任意のタイミングであってもよい。
【００９７】
また、このようなケースにおいて、ステップＳ１２１Ａ  Ｙｅｓの場合、又はステップＳ１２５Ａ  Ｙｅｓの場合、処理はＳ１０４Ａに戻り、ステップＳ１２１Ｂ  Ｙｅｓの場合、又はステップＳ１２５Ｂ  Ｙｅｓの場合、処理はＳ１０４Ｂに戻る場合（すなわち、処理回路４０Ａ、４０Ｂがユーザによるエリア表示投光器６０の操作を検出した場合、選択情報は固定したまま撮影範囲の再設定を行う場合）について説明したが、実施形態はこれに限られない。例えば、以下の場合が考えられる。処理回路４０Ａは、制御機能３６Ａにより、ユーザがエリア表示投光器６０を操作したか否かを検出する。処理回路４０Ａは、ユーザの操作を検出した場合、選択機能３９Ａにより、選択情報の入力を再度受け付ける。再度受け付けた選択情報に基づいて、処理回路４０Ａは、制御機能３６Ａにより、また処理回路４０Ｂは、制御機能３６Ｂにより、架台装置１０に撮影を実行させる。すなわち、図６のフローチャートにおいて、ステップＳ１２１Ａ  Ｙｅｓの場合、又はステップＳ１２５Ａ  Ｙｅｓの場合、処理はステップＳ１０２に戻り、処理回路４０Ｂは、ユーザからの選択情報の入力を受け付けてもよい。この場合、ステップＳ１０３の処理については、二度目以降は省略可能である。また、処理回路４０Ａについて説明したが、処理回路４０Ｂについても同様である。
【００９８】
以上のように、第１の実施形態に係るＸ線ＣＴ装置は、架台装置１０側とコンソール装置３０側のどちらで設定を行うかを選択する情報である選択情報の入力をユーザから受け付け、受け付けた選択情報に基づいて被検体Ｐの撮影を行う。これにより、架台装置１０側とコンソール装置３０側とのうち、いずれの側からでも撮影条件の設定を行うことができるＸ線ＣＴ装置を提供することができる。
【００９９】
（第２の実施形態）
第１の実施形態に係るＸ線ＣＴ装置は、架台装置１０側と、コンソール装置３０側のどちらで撮影条件を設定するかを選択する選択情報の入力をユーザから受け付け、受け付けた選択情報に基づいて被検体Ｐの撮影を行う。ところで、第１の実施形態では、選択情報は被検体Ｐの撮影範囲であった。第２の実施形態では被検体Ｐの撮影範囲以外の撮影条件についても、選択情報を用いて設定を行う。
【０１００】
第２の実施形態では、架台装置側インターフェース５０の有する処理回路４０Ａは、第１設定機能４２により、管電流、管電圧、回転フレーム１５の回転速度、スライス厚、列数の少なくとも一つを、架台装置１０側で設定される撮影条件である第１の撮影条件に含まれる撮影条件として更に設定する。また、コンソール装置３０は、第２設定機能３８により、管電流、管電圧、回転フレーム１５の回転速度、スライス厚、列数の少なくとも一つをコンソール装置３０側で設定される撮影条件である第２の撮影条件に含まれる撮影条件として更に設定する。これにより、さらにユーザの利便性を向上することができる。
【０１０１】
かかる点について、図８を用いて説明する。図８は、第２の実施形態に係るＸ線ＣＴ装置の行う処理の流れについて説明したフローチャートである。なお、図８において、ステップＳ１０２Ｘ、ステップＳ１０７Ａ及びステップＳ１０７Ｂ以外の処理については、図６と同様の処理であるから、詳しい説明は省略する。
【０１０２】
図８のフローチャートにおいて、はじめに、処理回路４０Ｂは、第１の実施形態と同様に、入力装置３１Ｂを通じて、患者登録を行う（ステップＳ１０１）。続いて、処理回路４０Ｂは、制御機能３６Ｂにより、被検体Ｐの撮影に関するエキスパートプランの選択の入力をユーザから受け付ける。また、処理回路４０Ｂは、ディスプレイ３２Ｂを通じてユーザにプリセット条件の候補を複数提示するとともに、選択機能３９Ｂにより、コンソール装置３０側に設けられた入力装置３１Ｂを通じて、選択情報（フラグ情報）の入力を受け付ける（ステップＳ１０２Ｘ）。
【０１０３】
第１の実施形態とは異なり、第２の実施形態では、ステップＳ１０２Ｘにおいては、処理回路４０Ｂは、選択機能３９Ｂにより、入力装置３１Ｂを通じてユーザから選択情報の入力を受け付けた後は、それ以上更なる撮影条件の入力を受け付けない。代わりに、後述のステップＳ１０７Ａ及びステップＳ１０７Ｂにおいて、選択情報により撮影条件の設定を受け付ける場所が、コンソール装置３０側であるか架台装置１０側であるかが決定したのち、それぞれの場所で更なる撮影条件の入力を受け付ける。
【０１０４】
架台装置１０は、被検体Ｐの寝台装置２０へのセッティングを行う（ステップＳ１０３）。ステップＳ１０３の処理が完了すると、第１の実施形態と同様に、選択機能３９Ａを有する処理回路４０Ａは、選択機能３９Ｂを有する処理回路４０ＢがステップＳ１０２Ｘにおいて入力を受け付けた選択情報に基づいて、以降の処理を、架台装置１０側で行うか、或いはコンソール装置３０側で行うか、決定する。即ち、処理回路４０Ａは、撮影条件の設定を受け付ける場所が、架台装置１０側であるか、コンソール装置３０側であるかを決定する（ステップＳ１０５）。
【０１０５】
以下、まず、選択情報が、架台装置１０側で処理を行う旨の情報である場合、すなわちステップＳ１０４Ａ〜Ｓ１２６Ａの処理について説明する。
【０１０６】
第１の実施形態と同様に、エリア表示投光器６０の設定が行われる（ステップＳ１０４Ａ）。換言すると、処理回路４０Ａは、第１設定機能４２により、エリア表示投光器６０に対する操作を受け付けて被検体Ｐに対する撮影範囲を調整する。処理回路４０Ａは、第１設定機能４２により、ユーザから、エリア表示投光器６０の設定反映ボタンの入力を受け付ける。ユーザがエリア表示投光器６０の設定反映ボタンを押すと（ステップＳ１０６Ａ）、処理回路４０Ａは、第１設定機能４２により、調整された撮影範囲を、第１の撮影条件に含まれる撮影条件として設定し、「被検体Ｐの撮影範囲」の大きさを確定させる。
【０１０７】
続いて、処理回路４０Ａは、第１設定機能４２により、「被検体Ｐの撮影範囲」以外の撮影条件を、架台装置１０側で設定される撮影条件である第１の撮影条件に含まれる撮影条件として設定する（ステップＳ１０７Ａ）。具体的には、処理回路４０Ａは、第１設定機能４２により、管電流、管電圧、回転フレーム１５の回転速度、スライス厚、列数の少なくとも一つを、架台装置１０側で設定される撮影条件である第１の撮影条件に含まれる撮影条件として更に設定する。
【０１０８】
続いて、処理回路４０Ａは、第１設定機能４２により、ユーザから、撮影範囲以外の他の撮影条件の設定が終了し、すべての撮影条件を確定させる旨のボタンである「Ｃｏｎｆｉｒｍ」ボタン（図示しない）のクリック入力を受け付ける。ユーザが「Ｃｏｎｆｉｒｍ」ボタンをクリックすると（ステップＳ１１０Ａ）、処理回路４０Ａは、第１設定機能４２により、ステップＳ１０６Ａで設定した撮影条件である「被検体Ｐの撮影範囲」及び、ステップＳ１０７Ａで設定したその他の撮影条件の両方の撮影条件を確定させる。
【０１０９】
以下、ステップＳ１１０Ａ〜Ｓ１２６Ａにおいて、第２の実施形態に係るＸ線ＣＴ装置は、第１の実施形態に係るＸ線ＣＴ装置と同様の処理を行う。
【０１１０】
次に、ステップＳ１０５に戻り、選択情報が、コンソール装置３０側で処理を行う旨の情報である場合、すなわちステップＳ１０４Ｂ〜Ｓ１２６Ｂの処理について説明する。
【０１１１】
第１の実施形態と同様に、架台装置１０と通信を行うコンソール装置３０に設けられた処理回路４０Ｂは、被検体Ｐに対する第２の撮影条件の入力を受け付ける第２設定機能３８により、コンソール装置３０を通じてユーザからの操作を受け付ける（ステップＳ１０４Ｂ）。
【０１１２】
続いて、処理回路４０Ｂは、第２設定機能３８により、「被検体Ｐの撮影範囲」以外の撮影条件を、コンソール装置３０側で設定される撮影条件である第２の撮影条件に含まれる撮影条件として設定する（ステップＳ１０７Ｂ）。具体的には、処理回路４０Ｂは、第２設定機能３８により、管電流、管電圧、回転フレーム１５の回転速度、スライス厚、列数等の少なくとも一つを、コンソール装置３０側で設定される撮影条件である第２の撮影条件に含まれる撮影条件として更に設定する。
【０１１３】
以下、ステップＳ１１０Ｂ〜Ｓ１３１において、第２の実施形態に係るＸ線ＣＴ装置は、第１の実施形態に係るＸ線ＣＴ装置と同様の処理を行う。
【０１１４】
以上のように、第２の実施形態に係るＸ線ＣＴ装置の行う処理の流れについて説明したが、実施形態はこれに限られない。例えば、第１の実施形態で述べた様々な変形例が、第２の実施形態にも適用可能である。
【０１１５】
また、ステップＳ１０２Ｘにおいて、制御機能３６Ｂを有する処理回路４０Ｂが、被検体Ｐの撮影に関するエキスパートプランの選択の入力をユーザから受け付ける例を説明したが、実施形態はこれに限られない。例えば、ステップＳ１０２Ｘではなく、ステップＳ
１０７Ｂにおいて、処理回路４０Ｂは、制御機能３６Ｂにより、エキスパートプランの選択の入力をユーザから受け付けてもよい。また、ステップＳ１０２Ｘで処理回路４０Ｂが制御機能３６Ｂによりエキスパートプランの選択の入力をユーザから受け付けるのではなく、ステップＳ１０７Ａで処理回路４０Ａが、制御機能３６Ａによりエキスパートプランの選択の入力をユーザから受け付けてもよい。
【０１１６】
以上のように、第２の実施形態に係るＸ線ＣＴ装置は、被検体Ｐの撮影範囲以外の様々な撮影条件についても、架台装置１０側とコンソール装置３０側のうち、選択情報により選択された側で設定を行う。これにより、架台装置１０で設定することのできる撮影条件の幅が広くなり、ユーザの利便性が向上する。
【０１１７】
（第３の実施形態）
第１の実施形態では、図６のステップＳ１０２において、制御機能３６Ｂを有する処理回路４０Ｂは、被検体Ｐの撮影に関するエキスパートプラン（撮影計画のプリセット条件）の選択の入力を受け付けた。換言すると、ユーザが提示されるエキスパートプランは、撮影対象によらず予めプリセットされた条件であった。
【０１１８】
これに対して、第３の実施形態では、ユーザは、予めプリセットされた条件を提示されて撮影条件を設定するのではなく、エリア表示投光器６０を使用してユーザが撮影範囲の調整を行ったあとに、撮影範囲の調整の結果を基にして、プリセットされた撮影条件を提示されることができる。これにより、撮影対象に対してより適切な条件を、Ｘ線ＣＴ装置から提示されることが可能になる。
【０１１９】
具体的には、第３の実施形態では、第１設定機能４２を有する処理回路４０Ａは、エリア表示投光器６０に対する操作を受け付けることにより撮影範囲を調整した後に、撮影計画のプリセット条件を複数の候補から選択することで、架台装置１０側で設定される撮影条件である第１の撮影条件を設定する。また、第２設定機能３８を有する処理回路４０Ｂは、コンソール装置３０（端末装置）を通じてユーザからの操作を受け付けることにより撮影範囲を調整した後に、撮影計画のプリセット条件を複数の候補から選択することで、コンソール装置３０側で設定される撮影条件である第２の撮影条件を設定する。換言すると、処理回路４０Ａは、第１設定機能４２により、エリア表示投光器６０に対する操作を受け付けることにより撮影範囲を調整した後に、調整後の撮影範囲に基づいて撮影範囲の複数のプリセット条件から一部のプリセット条件を選択し操作者に提示する。又は、処理回路４０Ｂは、第２設定機能３８により、コンソール装置３０（端末装置）を通じてユーザからの操作を受け付けることにより撮影範囲を調整した後に、撮影範囲に基づいて撮影計画の複数のプリセット条件から一部のプリセット条件を選択し操作者に提示する。提示された情報に基づいて、操作者は撮影条件の設定を行う。
【０１２０】
かかる点について、図９を用いて説明する。図９は、第３の実施形態に係るＸ線ＣＴ装置の行う処理の流れについて説明したフローチャートである。なお、図９において、ステップＳ１０２Ｙ、ステップＳ１５０、ステップＳ１５１Ａ及びステップＳ１５１Ｂ以外の処理については、図８と同様の処理であるから、詳しい説明は省略する。
【０１２１】
図９のフローチャートにおいて、はじめに、処理回路４０Ｂは、今までの実施形態と同様に、入力装置３１Ｂを通じて、患者登録を行う（ステップＳ１０１）。また、処理回路４０Ｂは、ディスプレイ３２Ｂを通じてユーザにプリセット条件の候補を複数提示するとともに、選択機能３９Ｂにより、端末装置側に設けられた入力装置３１Ｂを通じて、選択情報の入力を受け付ける（ステップＳ１０２Ｙ）。
【０１２２】
第１の実施形態及び第２の実施形態とは異なり、第３の実施形態では、ステップＳ１０２Ｙにおいては、処理回路４０Ｂは、制御機能３６Ｂにより、被検体Ｐの撮影に関するエキスパートプランの選択の入力を受け付けない。代わりに、後述のステップＳ１５１Ａ及びステップＳ１５１Ｂにおいて、選択情報（フラグ情報）により撮影条件の設定を受け付ける場所が、コンソール装置３０側であるか架台装置１０側であるか決定したのち、決定した場所でエキスパートプランの選択の入力を受け付ける。
【０１２３】
架台装置１０は、被検体Ｐの寝台装置２０へのセッティングを行う（ステップＳ１０３）。続いて、エリア表示投光器６０を使用して、撮影範囲の設定が行われる（ステップＳ１５０）。換言すると、処理回路４０Ａは、第１設定機能４２により、エリア表示投光器６０に対する操作を受け付けることにより撮影範囲を調整する。また、図示していないが、処理回路４０Ｂは、第２設定機能３８により、コンソール装置３０側（端末装置）を通じてユーザからの操作を受け付けることにより撮影範囲を調整してもよい。すなわち、ステップＳ１５０の処理は、第１の実施形態及び第２の実施形態におけるステップＳ１０４Ａ及びステップＳ１０４Ｂと同様の処理である。
【０１２４】
その後、ステップＳ１５０の処理が完了すると、第１の実施形態及び第２の実施形態と同様に、選択機能３９Ａを有する処理回路４０Ａは、又は選択機能３９Ｂを有する処理回路４０Ｂは、ステップＳ１０２Ｙにおいて入力を受け付けた選択情報に基づいて、以降の処理を、架台装置１０側で行うか、或いはコンソール装置３０側で行うか、決定する（ステップＳ１０５）。
【０１２５】
以下、まず、選択情報が、架台装置１０側で処理を行う旨の情報である場合、すなわちステップＳ１５１Ａ〜Ｓ１２６Ａの処理について説明する。
【０１２６】
処理回路４０Ａは、制御機能３６Ａにより、被検体Ｐの撮影に関するエキスパートプランの選択の入力をユーザから受け付ける（ステップＳ１５１Ａ）。具体的には、処理回路４０Ａは、第１設定機能４２により、撮影計画のプリセット条件を複数の候補から選択する。その後、処理回路４０Ａは、第１設定機能４２により、ユーザから、エリア表示投光器６０の設定反映ボタンの入力を受け付ける。ユーザがエリア表示投光器６０の設定反映ボタンを押すと（ステップＳ１０６Ａ）、処理回路４０Ａは、第１設定機能４２により、調整された撮影範囲を、第１の撮影条件に含まれる撮影条件として設定し、「被検体Ｐの撮影範囲」の大きさを確定させる。これにより、処理回路４０Ａは、第１設定機能４２により、架台装置１０側で設定される撮影条件である第１の撮影条件を設定する（ステップＳ１０７Ａ）。
【０１２７】
ステップＳ１１０Ａ〜ステップＳ１２６Ａの処理は、第２の実施形態で説明したのと同様な処理であるので省略する。
【０１２８】
次に、ステップＳ１０５に戻り、選択情報が、コンソール装置３０側で処理を行う旨の情報である場合、すなわちステップＳ１５１Ｂ〜Ｓ１２６Ｂの処理について説明する。
【０１２９】
処理回路４０Ｂは、制御機能３６Ｂにより被検体Ｐの撮影に関するエキスパートプランの選択をユーザから受け付ける（ステップＳ１５１Ｂ）。具体的には、処理回路４０Ｂは、第２設定機能３８により、撮影計画のプリセット条件を複数の候補から選択する。処理回路４０Ｂは、第２設定機能３８により、ユーザから、エリア表示投光器６９の設定反映ボタンの入力を受け付ける。ユーザがエリア表示投光器６０の設定反映ボタンを押すと（ステップＳ１０６Ｂ）、処理回路４０Ｂは、第２設定機能３８により、調整された撮影範囲を、第２の撮影範囲に含まれる撮影条件として設定し、「被検体Ｐの撮影範囲」の大きさを確定させる。これにより、処理回路４０Ｂは、第２設定機能３８により、コンソール装置３０側で設定される撮影条件である第２の撮影条件を設定する（ステップＳ１０７Ｂ）。
【０１３０】
ステップＳ１１０Ｂ〜ステップＳ１３１の処理は第２の実施形態で説明したのと同様な処理であるので省略する。
【０１３１】
以上のように、第３の実施形態に係るＸ線ＣＴ装置の行う処理の流れについて説明したが、実施形態はこれに限られない。例えば、第１の実施形態で述べた様々な変形例が、第３の実施形態にも適用可能である。
【０１３２】
以上のように、第３の実施形態に係るＸ線ＣＴ装置は、ユーザによるエリア表示投光器６０を使用した撮影範囲の調整に基づいて、プリセット条件をユーザに選択させる。これにより、ユーザに対して、より適切なプリセット条件を、撮影条件として提示することができ、ユーザの利便性を向上することができる。
【０１３３】
（プログラム）
上述した実施形態の中で示した処理手順に示された指示は、ソフトウェアであるプログラムに基づいて実行されることが可能である。汎用の計算機システムが、このプログラムを予め記憶しておき、このプログラムを読み込むことにより、上述した実施形態のＸ線ＣＴ装置による効果と同様な効果を得ることも可能である。上述した実施形態で記述された指示は、コンピュータに実行させることのできるプログラムとして、磁気ディスク（フレキシブルディスク、ハードディスク等）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷ等）、半導体メモリ、又はこれに類する記録媒体に記録される。コンピュータ又は組み込みシステムが読み取り可能な記憶媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態のＸ線ＣＴ装置と同様な動作を実現することができる。もちろん、コンピュータがプログラムを取得する場合又は読み込む場合はネットワークを通じて取得又は読み込んでもよい。
【０１３４】
また、記憶媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が、上述した実施形態を実現するための各処理の一部を実行してもよい。
【０１３５】
更に、記憶媒体は、コンピュータあるいは組み込みシステムと独立した媒体に限らず、ＬＡＮ（Ｌｏｃａｌ  Ａｒｅａ  Ｎｅｔｗｏｒｋ）やインターネット等により伝達されたプログラムをダウンロードして記憶又は一時記憶した記憶媒体も含まれる。
【０１３６】
また、記憶媒体は１つに限られず、複数の媒体から、上述した実施形態における処理が実行される場合も、実施形態における記憶媒体に含まれ、媒体の構成は何れの構成であってもよい。
【０１３７】
なお、実施形態におけるコンピュータ又は組み込みシステムは、記憶媒体に記憶されたプログラムに基づき、上述した実施形態における各処理を実行するためのものであって、パソコン、マイコン等の１つからなる装置、複数の装置がネットワーク接続されたシステム等の何れの構成であってもよい。
【０１３８】
また、実施形態におけるコンピュータとは、パソコンに限らず、情報処理機器に含まれる演算処理装置、マイコン等も含み、プログラムによって実施形態における機能を実現することが可能な機器、装置を総称している。
【０１３９】
以上述べた少なくとも一つの実施形態によれば、架台装置１０側とコンソール装置３０（端末装置）側とのうち、いずれの側からでもユーザが意図する撮影条件の設定を行うことができるＸ線ＣＴ装置を提供することができる。
【０１４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４１】
１０  架台装置
５０  架台装置側インターフェース
３０  コンソール装置
４２  第１設定機能
３８  第２設定機能
３９Ａ  選択機能
３６Ａ  制御機能
【図１】
0006744192.tif 000002
【図２】
0006744192.tif 000003
【図３】
0006744192.tif 000004
【図４】
0006744192.tif 000005
【図５】
0006744192.tif 000006
【図６】
0006744192.tif 000007
【図７】
0006744192.tif 000008
【図８】
0006744192.tif 000009
【図９】
0006744192.tif 000010